(57)【要約】【課題】複数種類の光記録媒体の光ディスク装置において、光記録媒体の種類の判別に要する時間を短縮できる光ディスク装置を提供する。【解決手段】本発明の光ディスク装置は、光記録媒体の種類を判別する際に、複数の光源のうち、少なくとも２つを順番に切り換えて発光させ、それぞれの場合について、対物レンズを前記光記録媒体に近づける方向又は光記録媒体から遠ざかる方向に移動させて、光検出部からの信号を処理して得られるフォーカスエラー信号の検出を行う。そして、光源の発光を切り換えるタイミングは、フォーカスエラー信号のＳ字波形の検出に基づいて判断される。【選択図】図４
2007250033.tif 000002
【特許請求の範囲】
【請求項１】
異なる波長の光ビームを出射する複数の光源と、
前記光源から出射される光ビームを光記録媒体の記録面に集光する対物レンズと、
前記光記録媒体で反射された反射光を受光する光検出部と、
前記対物レンズをその光軸方向と平行なフォーカス方向に移動するアクチュエータと、を備え、
装置内に挿入されている前記光記録媒体の種類の判別を行う際に、
前記複数の光源のうち、少なくとも２つを順番に切り換えて発光させ、
それぞれの場合について、前記アクチュエータで前記対物レンズを前記光記録媒体に近づける方向又は前記光記録媒体から遠ざかる方向に移動させて、前記光検出部からの信号を処理して得られるフォーカスエラー信号の検出を行う光ディスク装置において、
前記光源の発光を切り換えるタイミングは、前記フォーカスエラー信号のＳ字波形の検出に基づいて判断されることを特徴とする光ディスク装置。
【請求項２】
前記光源の発光の切り換えは、前記Ｓ字波形全体又は前記Ｓ字波形の所定の一部を検出後、直ちに行われることを特徴とする請求項１に記載の光ディスク装置。
【請求項３】
前記光源の発光の切り換えは、前記Ｓ字波形全体又は前記Ｓ字波形の所定の一部を検出した後であって、切り換え前の光源について、前記フォーカスエラー信号を検出するために行う前記対物レンズの前記光記録媒体に近づける方向又は前記光記録媒体から遠ざかる方向への移動が終了する前に行われることを特徴とする請求項１に記載の光ディスク装置。
【請求項４】
前記光源から出射される光ビームの光出力を検出する検出部を備え、
各光源の場合における、前記フォーカスエラー信号の検出のための前記アクチュエータによる前記対物レンズの移動は、前記光出力が安定してから開始されることを特徴とする請求項１から請求項３のうちのいずれか１項に記載の光ディスク装置。
【請求項５】
切り換えられる前記光源の数が３つ以上であることを特徴とする請求項１から請求項４のうちのいずれか１項に記載の光ディスク装置。
【請求項６】
前記光源は、単一の波長の光ビームのみを出射する１波長光源と、二つの波長の光ビームを出射する２波長光源と、から成り、
前記光源が発光する順番は、前記２波長光源のいずれか一方の波長を出射する光源、前記１波長光源、前記２波長光源の他方の波長を出射する光源、の順であることを特徴とする請求項１から請求項５のうちのいずれか１項に記載の光ディスク装置。
【発明の詳細な説明】
【技術分野】
【０００１】
本発明は、光記録媒体の情報の記録や再生に用いられる光ディスク装置に関し、特に、光ディスク装置における光記録媒体の判別時間を短縮する技術に関する。
【背景技術】
【０００２】
コンパクトディスク（以下、ＣＤという。）やデジタル多用途ディスク（以下、ＤＶＤという。）といった光記録媒体が普及している。また、最近では、光記録媒体の情報量を更に増やすために、光記録媒体の高密度化に関する研究が進められ、例えば、ブルーレイディスク（以下、ＢＤという。）といった高密度化された光記録媒体も実用化されてきている。また、記録容量を大きくするために複数の記録層を有する光記録媒体や、例えば、ＣＤの記録層とＤＶＤの記録層とが混載されたハイブリッドディスク等も存在し、光記録媒体の種類は多種多様なものとなっている。
【０００３】
このような光記録媒体の情報の記録や再生は光ディスク装置において行われるが、１つの光ディスク装置で複数種類の光記録媒体の記録や再生を行える構成の光ディスク装置が盛んに開発されている。そして、複数種類の光記録媒体に対応する光ディスク装置では、一般に装置内に光記録媒体が挿入されると、まず、光記録媒体の種類の判別を行うが、上述のように光記録媒体の種類が多種類となっているために、この光記録媒体の判別に要する時間が長くなる傾向にある。
【０００４】
従来の光ディスク装置による光記録媒体の種類の判別動作について、図５に示す。ここでは、光ディスク装置が、第１から第３の光記録媒体に対応する光記録媒体であるとして説明する。光記録媒体が光ディスク装置内に挿入されると、まず、第１の光記録媒体用のレーザダイオード（以下、ＬＤと表現することがある。）が発光される。そして、ＡＰＣ（Ａｕｔｏ  Ｐｏｗｅｒ  Ｃｏｎｔｏｒｏｌ）の働きによって、ＬＤのレーザ出力が安定すると、光記録媒体の厚さ方向に対し光記録媒体に近づく方向へと移動されて、フォーカスエラー信号のＳ字波形の振幅が測定される。対物レンズが光記録媒体に対して所定の位置まで近づくと、次に、対物レンズは光記録媒体の厚さ方向に対して光記録媒体から遠ざかる方向へと移動されて、再びＳ字波形の振幅が測定される。
【０００５】
対物レンズが光記録媒体に対して所定の位置まで遠ざけられると、第１の光記録媒体用のＬＤが消灯され、第２の光記録媒体用のＬＤが発光される。ＬＤの切り換え時には、ＬＤのレーザ出力が安定するまである程度時間を要するために、切換時間が必要とされる。この切換時間経過後、第１の光記録媒体用のＬＤを発光した後と同様にＳ字波形の振幅が測定され、更に同様に、第３の光記録媒体用のＬＤが発光されて、Ｓ字波形の振幅が測定される。そして、得られたＳ字波形の振幅を基に、光記録媒体の種類の判別を行う。
【０００６】
しかし、このような従来の光記録媒体の判別方法の場合、１つのＬＤにつき２回、Ｓ字波形の振幅測定を行うことになるために、光記録媒体の種類の判別に時間を必要以上に要するといった問題があった。この点を考慮して、特許文献１では、対物レンズを光記録媒体に近づける場合と対物レンズを光記録媒体から遠ざける場合とで、発光させるＬＤを切り換える構成としている。これによれば、１つのＬＤにつき、Ｓ字波形の振幅測定を１回だけ行う構成のために、光記録媒体の種類を判別する時間が短縮される。
【０００７】
また、特許文献２においては、対象とする光記録媒体が異なるＬＤ毎に、Ｓ字波形を得るために対物レンズを移動させる範囲を異なるようにし、必要のない位置まで対物レンズを移動させないように構成することで時間短縮を図り、光記録媒体の種類の判別に要する時間の短縮を行っている。
【特許文献１】特開２０００−３１１３５７号公報
【特許文献２】特開２００５−３５３２０１号公報
【発明の開示】
【発明が解決しようとする課題】
【０００８】
しかしながら、特許文献１や特許文献２における光ディスク装置においては、ＬＤを切り換えた時に、ＬＤから出射されるレーザ光の出力が安定するまでに要する時間のことが考慮されていない。すなわち、特許文献１の構成の光ディスク装置において、例えば、ＬＤが切り換えられて、直ちに対物レンズを光記録媒体から遠ざかる方向への移動を開始すると、ＬＤのレーザ出力が安定しない状態でＳ字波形の振幅の測定を行う可能性があり、光記録媒体の種類の判別を誤る可能性がある。
【０００９】
また、特許文献２の構成の光ディスク装置においては、対物レンズの移動時間をできる限り短縮する構成であるために、ＬＤの切り換え後、レーザ出力が安定するまでの時間を考慮しない場合には、Ｓ字波形の振幅測定値が不正確で、光記録媒体の判別を誤る危険性が更に増加する。このため、特許文献１及び特許文献２の構成の光ディスク装置においても、ＬＤを切り換え、ＬＤのレーザ出力が安定するまでの時間を考慮する必要があり、このＬＤの切り換えに要する時間のために、光記録媒体の種類の判別に要する時間が長くなるといった欠点がある。
【００１０】
以上の点を鑑みて、本発明の目的は、複数種類の光記録媒体の光ディスク装置において、光記録媒体の種類の判別に要する時間を短縮できる光ディスク装置を提供することである。また、本発明の他の目的は、記録媒体の種類の判別に要する時間を短縮でき、且つ光記録媒体の種類の判別を正確に行うことができる光ディスク装置を提供することである。
【課題を解決するための手段】
【００１１】
上記目的を達成するために本発明は、異なる波長の光ビームを出射する複数の光源と、前記光源から出射される光ビームを光記録媒体の記録面に集光する対物レンズと、前記光記録媒体で反射された反射光を受光する光検出部と、前記対物レンズをその光軸方向と平行なフォーカス方向に移動するアクチュエータと、を備え、装置内に挿入されている前記光記録媒体の種類の判別を行う際に、前記複数の光源のうち、少なくとも２つを順番に切り換えて発光させ、それぞれの場合について、前記アクチュエータで前記対物レンズを前記光記録媒体に近づける方向又は前記光記録媒体から遠ざかる方向に移動させて、前記光検出部からの信号を処理して得られるフォーカスエラー信号の検出を行う光ディスク装置において、前記光源の発光を切り換えるタイミングは、前記フォーカスエラー信号のＳ字波形の検出に基づいて判断されることを特徴としている。
【００１２】
また、本発明は、上記構成の光ディスク装置において、前記光源の発光の切り換えは、前記Ｓ字波形全体又は前記Ｓ字波形の所定の一部を検出後、直ちに行われることを特徴としている。
【００１３】
また、本発明は、上記構成の光ディスク装置において、前記光源の発光の切り換えは、前記Ｓ字波形全体又は前記Ｓ字波形の所定の一部を検出した後であって、切り換え前の光源について、前記フォーカスエラー信号を検出するために行う前記対物レンズの前記光記録媒体に近づける方向又は前記光記録媒体から遠ざかる方向への移動が終了する前に行われることを特徴としている。
【００１４】
また、本発明は、上記構成の光ディスク装置において、前記光源から出射される光ビームの光出力を検出する検出部を備え、各光源の場合における、前記フォーカスエラー信号の検出のための前記アクチュエータによる前記対物レンズの移動は、前記光出力が安定してから開始されることを特徴としている。
【００１５】
また、本発明は、上記構成の光ディスク装置において、切り換えられる前記光源の数が３つ以上であることを特徴としている。
【００１６】
また、本発明は、上記構成の光ディスク装置において、前記光源は、単一の波長の光ビームのみを出射する１波長光源と、二つの波長の光ビームを出射する２波長光源と、から成り、前記光源が発光する順番は、前記２波長光源のいずれか一方の波長を出射する光源、前記１波長光源、前記２波長光源の他方の波長を出射する光源、の順であることを特徴としている。
【発明の効果】
【００１７】
本発明の第１の構成によれば、切り換えられた光源について必要となる光出力（レーザパワー）を安定させる時間を、効率良く確保することが可能となる。このため、切り換えられた光源に対して行われるＳ字波形検出のための対物レンズの移動について、移動開始までに生じる待ち時間の短縮が可能となり、光記録媒体の種類の判別を行うのに要する時間の短縮を図ることが可能となる。
【００１８】
また、本発明の第２の構成によれば、上記第１の構成の光ディスク装置において、切り換えられた光源について、光出力を安定させる時間を最も効率良く確保することが可能となる。
【００１９】
また、本発明の第３の構成によれば、上記第１の構成の光ディスク装置において、フォーカスエラー信号のＳ字波形の検出を行うために必要とされる対物レンズの移動中に、光源の切り換えを行う構成であるために、切り換えられた光源の光出力を安定させる時間を効率良く確保することが可能となる。
【００２０】
また、本発明の第４の構成によれば、上記第１から第３のいずれかの構成の光ディスク装置において、光記録媒体の判別に必要とされる時間を短縮し、且つ正確に光記録媒体の判別を行うことが可能な簡易な構成の光ディスク装置を提供することが可能となる。
【００２１】
また、本発明の第５の構成によれば、上記第１から第４のいずれかの構成の光ディスク装置において、光記録媒体の判別に要する時間を短縮する効果をより大きなものとできる。
【００２２】
また、本発明の第６の構成によれば、上記第１から第５のいずれかの構成の光ディスク装置において、光ディスク装置のサイズや製造コスト等において利点を有するために２波長光源を用いる場合において、光源の切り換え時に必要となる切換時間を効率良く確保することが可能となる。
【発明を実施するための最良の形態】
【００２３】
以下に本発明の内容を詳細に説明するが、ここで示す実施形態は一例であり、本発明はここに示す実施形態に限定されるものではない。
【００２４】
図１は、本実施形態の光ディスク装置の構成を示すブロック図である。光ディスク装置１は、光記録媒体１５の情報の再生、及び光記録媒体１５への情報の記録を行うことができる。２は、スピンドルモータであり、光記録媒体１５は、このスピンドルモータ２の上部に設けられるチャック部（図示せず）に着脱可能に保持される。そして、光記録媒体１５の情報の記録再生を行う際に、スピンドルモータ２は光記録媒体１５を連続回転する。スピンドルモータ２の回転制御は、スピンドルモータ制御部３によって行われる。
【００２５】
４は、光ピックアップであり、光源から出射されるレーザ光を光記録媒体１５に照射し、光記録媒体１５への情報の書き込みと、光記録媒体１５に記録されている情報の読み取りを可能とする。図２は、光ピックアップ４の光学系を示す概略図である。図２に示すように、光ピックアップ４は、光源１６、１７と、色合成プリズム１８と、コリメートレンズ１９と、ビームスプリッタ２０と、対物レンズ２１と、集光レンズ２３と、光検出器２４と、を備える。なお、光ピックアップを構成する光学系の構成はこれに限らず、もちろん種々の変更が可能である。
【００２６】
光源１６、１７はいずれもレーザダイオード（ＬＤ）であるが、光源１６は２種類の波長のレーザ光を出射できる２波長光源であり、光源１７は、単一の波長のレーザ光のみを出射する１波長光源である。そして、２波長光源１６からはＤＶＤとＣＤとに対応する波長のレーザ光（例えば、波長６５０ｎｍと波長７８０ｎｍのレーザ光）が出射され、１波長光源１７からはＢＤに対応するレーザ光（例えば、波長４０５ｎｍのレーザ光）が出射される。
【００２７】
光ピックアップ４において、光源１６、１７から出射された光ビームは、色合成プリズム１８で光軸を同一とされ、コリメートレンズ１９で平行光となり、ビームスプリッタ２０を透過し、対物レンズ２１によって光記録媒体１５の情報が記録される記録面１５ａに集光される。光記録媒体１５で反射された反射光は、対物レンズ２１通過し、ビームスプリッタ２０で反射されて集光レンズ２３によって光検出器２４の受光部（図示せず）に集光される。光検出器２４は受光した光ビームが有する光情報を電気信号に変換する。
【００２８】
図１に戻って、光ディスク装置１にはレーザ制御部５が設けられており、このレーザ制御部５によって、光源１６、１７から出射される光ビームの光出力が所定の値で一定となるように制御される。光出力を一定とする制御については、図示しない受光素子（フロントモニタ用の受光素子）でレーザパワーを電圧信号として検出し、目標の電圧値となるようにＡＰＣ回路を介してＬＤ（光源１６、１７）へ電力を供給することによって行われる。
【００２９】
信号処理部７は、少なくともＲＦ信号処理部８とトラックエラー信号処理部９とフォーカスエラー信号処理部１０とを含んでいる。そして、光検出器２４（図２参照）で変換された電気信号に基づいて、ＲＦ信号、トラックエラー信号（ＴＥ信号）、フォーカスエラー信号（ＦＥ信号）を生成する。ＲＦ信号はデータ復調部１１でデータに復調され、インターフェース１２を介してパソコン等の外部機器に出力される。ＴＥ信号及びＦＥ信号は、アクチュエータ制御部６に出力される。
【００３０】
アクチュエータ制御部６は、信号処理部７から送られてきた信号に基づいて、対物レンズ２１が搭載されるアクチュエータ２２（いずれも図２参照）に駆動信号を供給する。駆動信号が供給されたアクチュエータ２２は、信号に基づいて各部を作動させて、対物レンズ２１をその光軸方向と平行なフォーカス方向に移動してフォーカスを合わせるフォーカシング制御や、対物レンズ２１を光記録媒体１５の半径方向と平行な方向に移動してレーザ光のスポット位置を光記録媒体１５に形成されるトラック位置に合わせるトラッキング制御を行う。
【００３１】
また、アクチュエータ制御部６は、光ディスク装置１に挿入された光記録媒体１５の種類の判別を行う場合やフォーカスの引き込み動作を行う場合等にも対物レンズ２１の移動の制御を行う。
【００３２】
その他、全体制御部１３は、スピンドルモータ制御部３、レーザ制御部５、アクチュエータ制御部６、信号処理部７、データ復調部１１、インターフェース１２、及び制御に必要な情報を記憶する記憶部１４等を制御して、装置全体のコントロールを行う。
【００３３】
このような光ディスク装置１において、例えば、装置の起動時や装置内に光記録媒体１５が挿入されると、光ディスク装置１は装置内に挿入されている光記録媒体１５の種類の判別を行い、判別の結果に基づいて装置内に挿入されている光記録媒体１５に合った設定を行う。そして、本実施形態の光ディスク装置１では、この光記録媒体１５の判別に要する時間を短縮できるように構成されている。以下、この点について説明する。
【００３４】
図３は、本実施形態の光ディスク装置１で光記録媒体１５の種類の判別を行う場合の動作を示したフローチャートである。また、図４は、光記録媒体の種類の判別動作を説明するために示した模式図である。以下、図３に示すフローチャートと図４の模式図を参照しながら、光ディスク装置１が光記録媒体１５の判別を行う場合の動作を説明する。
【００３５】
全体制御部１３より光記録媒体１５の判別が指示されると、まず、アクチュエータ制御部６は、対物レンズ２１が予め決められている開始位置まで移動するように、アクチュエータ２２を駆動する（ステップＳ１）。対物レンズ２１が開始位置まで移動されると、レーザ制御部５は、２波長光源１６のＤＶＤレーザを発光（ＯＮ）する（ステップＳ２）。
【００３６】
ＤＶＤレーザから出射されたレーザ光のレーザパワー（光出力）は、レーザ制御部５により一定となるように制御されるが、レーザパワーが安定するまでに時間を要する。このため、レーザパワーが安定したか否かが確認される（ステップＳ３）。レーザパワーが安定していない場合には、レーザパワーが安定するまで、この確認が繰り返される。レーザパワーが安定したか否かの確認は、周知の方法で行えば良く、例えば、フロントモニタ用の受光素子で得られる電圧値と目標の電圧値との差について検出し、この差が所定の範囲内か否かを確認する等の方法で実現できる。
【００３７】
なお、本実施形態ではレーザパワーの安定確認を行う構成としているが、これに限定される趣旨ではなく、レーザパワーの安定確認を行わない構成等とすることも可能である。ただし、例えば、レーザパワーが安定しない状態で、フォーカスエラー信号の測定を行い、この測定結果を基に光記録媒体の種類の判別を行うと、光記録媒体１５の種類の判別を誤る可能性があるため、レーザパワーの安定確認を行うのが好ましい。
【００３８】
レーザパワーが安定した場合には、アクチュエータ制御部６よりアクチュエータ２２にフォーカス方向への駆動を指令するフォーカス駆動信号（図４参照）が出力され、対物レンズ２１が光記録媒体に近づく方向（本実施形態では、対物レンズ２１が上昇する方向）に移動開始する（ステップＳ４）。また、それと同時にフォーカスエラー信号の信号レベルの測定が開始される（ステップＳ５）。測定されたフォーカスエラー信号は、記憶部１４に記憶される（ステップＳ６）。
【００３９】
次に、フォーカスエラー信号のＳ字波形全体が検出された否かの確認が行われる（ステップＳ７）。なお、Ｓ字波形は、フォーカスエラー信号において、対物レンズの焦点位置が光記録媒体１５の記録面を通過する際に発生する信号波形（図４参照）のことを指し、周知のため、ここではその詳細な説明は省略する。また、Ｓ字波形全体とは、例えば、図４のＡからＯを通過してＢに至るまでのＳ字形状の波形全体のことを指す。
【００４０】
フォーカスエラー信号のＳ字波形全体が検出されたか否かの判断の方法としては、例えば、記憶部１４に記憶されるフォーカスエラー信号の信号データの各差をとって判断する方法が挙げられる。すなわち、Ｓ字波形全体の検出が終了した場合には、フォーカスエラー信号の信号レベルの変化がほとんどなくなるために、信号データの差が非常に小さくなる。従って、信号データの差が所定の範囲内に収まっているか否かを判断すれば、既にＳ字波形全体の検出が終了しているか否かの判断が可能となる。
【００４１】
フォーカスエラー信号のＳ字波形全体が検出されていない場合には、フォーカスエラー信号の信号レベルの測定とその記憶（ステップＳ５、Ｓ６）が引き続き行われる。一方、フォーカスエラー信号のＳ字波形全体が検出されている場合には、ＤＶＤレーザが消灯（ＯＦＦ）され（ステップＳ８）、１波長光源１７のＢＤレーザが発光される（ステップＳ９）。なお、Ｓ字波形全体の確認ができたら、ＤＶＤレーザの消灯及びＢＤレーザの発光はできる限り短時間の間に行うのが好ましい。
【００４２】
ＢＤレーザが発光された後は、対物レンズ２１が所定位置まで上昇したか否かが確認される（ステップＳ１０）。なお、対物レンズ２１の所定位置は、光記録媒体１５の種類によってＳ字波形が出現するタイミングが異なるために、対物レンズ２１の開始位置と共に、光ディスク装置１で対応可能な全ての光記録媒体１５のＳ字波形を検出できる移動距離を確保するように決定される。また、光記録媒体１５の回転に伴う面ぶれによる焦点位置の変位も考慮して、各Ｓ字波形を検出できる移動距離よりも多少長い距離とされている。
【００４３】
対物レンズ２１が所定位置まで上昇していない場合には、対物レンズ２１が所定位置に到達するまで、ステップＳ１０の確認が繰り返される。一方、対物レンズ２１が所定位置まで上昇すると、その位置でアクチュエータ２２による対物レンズ２１の移動が停止され（ステップＳ１１）、ＢＤレーザのレーザパワーが安定したか否かが確認される（ステップＳ１２）。レーザパワーの安定確認は、ＤＶＤレーザの場合と同様である。
【００４４】
ＢＤレーザのレーザパワー安定すると、アクチュエータ制御部６よりアクチュエータ２２にフォーカス方向への駆動を指令するフォーカス駆動信号（図４参照）が出力され、対物レンズ２１が光記録媒体から遠ざかる方向（本実施形態では、対物レンズ２１が下降する方向）に移動開始する（ステップＳ１３）。また、それと同時にフォーカスエラー信号の信号レベルの測定が開始される（ステップＳ１４）。測定されたフォーカスエラー信号は、記憶部１４に記憶される（ステップＳ１５）。
【００４５】
次に、フォーカスエラー信号のＳ字波形の全体が検出された否かの確認が行われる（ステップＳ１６）。フォーカスエラー信号のＳ字波形全体が検出されていない場合には、フォーカスエラー信号の信号レベルの測定とその記憶（ステップＳ１４、Ｓ１５）が引き続き行われる。一方、フォーカスエラー信号のＳ字波形全体が検出されている場合には、ＢＤレーザが消灯され（ステップＳ１７）、２波長光源１６のＣＤレーザが発光される（ステップＳ１８）。なお、Ｓ字波形全体の確認ができたら、ＢＤレーザの消灯及びＣＤレーザの発光はできる限り短時間の間に行うのが好ましい。
【００４６】
ＣＤレーザが発光された後は、対物レンズ２１が所定位置まで下降したか否かが確認される（ステップＳ１９）。なお、ここでの所定位置は、ステップＳ１における開始位置に相当する。対物レンズ２１が所定位置まで下降していない場合には、対物レンズ２１が所定位置に到達するまで、対物レンズ２１が所定位置まで下降したか否かの確認が繰り返される。
【００４７】
一方、対物レンズ２１が所定位置まで下降すると、その位置でアクチュエータ２２による対物レンズ２１の移動が停止され（ステップＳ２０）、ＣＤレーザのレーザパワーが安定したか否かが確認される（ステップＳ１２）。レーザパワーの安定確認は、ＤＶＤレーザの場合と同様である。
【００４８】
ＣＤレーザのレーザパワーが安定したら、アクチュエータ２２による対物レンズ２１の上昇が開始され（ステップＳ２２）、それと同時にフォーカスエラー信号の信号レベルの測定が開始される（ステップＳ２３）。測定されたフォーカスエラー信号は、記憶部１４に記憶される（ステップＳ２４）。
【００４９】
次に、フォーカスエラー信号のＳ字波形の全体が検出された否かの確認が行われ（ステップＳ２５）、フォーカスエラー信号のＳ字波形の全体が検出されていない場合には、フォーカスエラー信号の信号レベルの測定とその記憶（ステップＳ２３、Ｓ２４）が引き続き行われる。
【００５０】
一方、フォーカスエラー信号のＳ字波形の全体が検出されている場合には、ＣＤレーザが消灯される（ステップＳ２６）。なお、対物レンズ２１の移動もこの後停止されるが、ＣＤレーザの消灯に続けて対物レンズ２１の移動も停止する構成としても構わないし、また、対物レンズ２１が所定位置まで移動してから停止する構成としても構わない。
【００５１】
この後、記憶部１４に記憶された測定値を用いて、各ＬＤを発光した場合のＳ字波形の振幅（図４参照）を求め、振幅の大きさのレベルから光記録媒体１５の種類の判別が行われる（ステップＳ２７）。
【００５２】
なお、光記録媒体１５の種類の判別方法は、振幅を用いる方法に限らず、本発明の目的を逸脱しない範囲で種々の変更が可能である。すなわち、例えば、振幅の大きさではなく、対物レンズ２１をフォーカス方向に移動した際にＳ字波形が観察されるまでの時間が、光記録媒体１５のディスク表面から記録面までの距離が光記録媒体１５の種類によって異なるために違ってくる点を利用して光記録媒体１５の種類を判別する構成等としても構わない。また、Ｓ字波形を用いて光記録媒体１５に記録面１５ａに焦点の引き込みを行い、トラッキングエラー信号を用いて光記録媒体１５の種類を判別する構成等としても構わない。
【００５３】
以上のように光記録媒体１５の種類の判別を行う構成とすることで、従来に比べて光記録媒体１５の種類の判別に要する時間が短縮されるが、この点について、図４を用いて説明する。
【００５４】
上述したように、本実施形態の場合、Ｓ字波形の振幅を測定し、この振幅を用いて光記録媒体１５の種類の判別を行う構成であるために、少なくともＳ字波形の信号レベルの最大値と最小値とを検出する必要がある。この点を考慮して、本実施形態においては、発光した各光源について、フォーカスエラー信号のＳ字波形全体を検出する構成としている。
【００５５】
一方で、Ｓ字波形全体の検出ができた後は、アクチュエータ２２により対物レンズ２１が上昇している最中であっても、光源１６、１７は必ずしも発光している必要はない。そして、次に発光される光源１６、１７のレーザパワーが安定するまでの時間（図４における切換時間に相当）のことを考慮すると、次の光源１６、１７を早めに発光させた方が得策である。
【００５６】
すなわち、早めに次の光源１６、１７を発光させることにより、対物レンズ２１が、現在と反対向きに移動を開始するまでの待ち時間を短縮できるか、もしくは待ち時間を無くすことが可能となり、光記録媒体１５の種類の判別に要する時間の短縮が可能となる。なお、図４では、待ち時間が無い状態を示している。
【００５７】
このことから、本実施形態では、ＤＶＤレーザ、ＢＤレーザをそれぞれ発光した場合において、Ｓ字波形全体を検出したか否かの確認を行い、この確認ができたら各レーザダイオード（ＬＤ）を消灯し、次のＬＤを直ちに発光することとし、レーザパワーが安定するまでの時間が原因となって、次の動作（例えば、対物レンズ２１を上昇方向から下降方向へと切り換える）に移行する前に、待ち時間が発生するということがないように構成している。
【００５８】
特に、対物レンズ２１の移動は、上述のＳ字波形の出現位置が異なることや面ぶれ等を考慮すると、Ｓ字波形の検出後、直ちに停止されることはほとんどなく、Ｓ字波形全体の検出後、対物レンズ２１の移動方向が切り換えられる（対物レンズ２１の上昇又は下降が終了する）までの時間を利用して、光源のレーザパワーの安定を図るのは非常に有効である。
【００５９】
なお、本実施形態においては、Ｓ字波形の全体を検出してから、発光させる光源の切り換えを行う構成としているが、この構成に限られる趣旨ではない。例えば、本実施形態の場合、Ｓ字波形の最小値と最大値を検出した時点で、発光する光源の切り換えを行っても構わない。すなわち、光記録媒体１５の種類の判別に必要となる限りでＳ字波形の検出を行って、光源の切り換えを行う構成として構わず、Ｓ字波形の半分のみ検出後に光源の切り換えを行う構成等としても構わない。
【００６０】
以上に示した本実施形態においては、対物レンズ２１を上昇、下降、上昇の順で移動する構成としているが、これに限らず、本発明の目的を逸脱しない範囲で様々な変更が可能である。すなわち、例えば、対物レンズ２１を下降、上昇、下降の順に移動する構成としても構わないし、更に対物レンズ２１を上下に順に移動させない構成としても構わない。
【００６１】
また、光源１６、１７の発光順序も本実施形態の構成に限定されず変更可能である。ただし、本実施形態のように２波長光源のいずれか一方、１波長光源、２波長光源の他方という順番で光源を発光させる構成とした方が、光源の切り換えにかかる時間を少しでも短縮するという観点からは有利であり好ましい。
【００６２】
更に、光ディスク装置１が有する光源の数や、光ディスク装置１が対応可能な光記録媒体１５の種類についても本実施形態の構成に限定されず、種々の変更が可能である。ただし、光ディスク装置１が有する光源の数が多いほど、時間短縮の効果が大きくなり、特に３つ以上の光源を有する光ディスク装置で、本発明は特に有用である。
【００６３】
その他、本実施形態にように、光ディスク装置１を記録再生可能な装置とせず、例えば、再生のみを行う光ディスク装置等としても構わないのはもちろんである。
【産業上の利用可能性】
【００６４】
本発明の光ディスク装置は、特に、光源の発光の切り換えについて工夫をすることにより、光記録媒体の種類を判別するのに要する時間を短縮できる構成となっている。このため、複数種類の光記録媒体に対応する光ディスクドライブを有する機器について、非常に有用である。
【図面の簡単な説明】
【００６５】
【図１】は、本実施形態の光ディスク装置の構成を示すブロック図である。
【図２】は、本実施形態の光ディスク装置が備える光ピックアップの光学系の概略図である。
【図３】は、本実施形態の光ディスク装置で光記録媒体の種類の判別を行う場合の動作を示したフローチャートである。
【図４】は、本実施形態の光ディスク装置における光記録媒体の種類の判別動作を説明するために示した模式図である。
【図５】は、従来の光ディスク装置による光記録媒体の種類の判別動作を示す模式図である。
【符号の説明】
【００６６】
１              光ディスク装置
１５            光記録媒体
１５ａ          記録面
１６            光源（２波長光源）
１７            光源（１波長光源）
２１            対物レンズ
２２            アクチュエータ
２４            光検出器（光検出部）
【図１】
2007250033.tif 000003
【図２】
2007250033.tif 000004
【図３】
2007250033.tif 000005
【図４】
2007250033.tif 000006
【図５】
2007250033.tif 000007